(57)【要約】【課題】照明器具において、ソケットカバーをソケット取付具に嵌めると同時に、シリンダセットをセンター合わせすることができるようにして施工性と意匠性の向上を図る。【解決手段】照明器具は、ランプ５を取付ける一対のソケット３を保持するソケット取付具４と、ランプ５を覆う筒状の透光性シリンダ６及びその両端を保持しながらランプ５に取付けられる筒状のキャップ７からなるシリンダセット８と、シリンダセット８に挿通され、ソケット３とキャップ７を覆いながらソケット取付具４に嵌合される一対の筒状のソケットカバー９とを備え、キャップ７は突起部７ａを有し、ソケットカバー９は突起部７ａが当接可能な張出部９ｂを有し、ソケットカバー９をソケット取付具４に嵌合させるとき、ソケットカバー９を長手方向外側にそれぞれ移動させることで、張出部９ｂが突起部７ａに当接して、シリンダセット８を長手方向中心に寄せる。【選択図】図２
2006331792.tif 000002
【特許請求の範囲】
【請求項１】
直管ランプを取付ける一対のソケットと、前記ソケットを保持するソケット取付具と、前記直管ランプを覆う筒状の透光性シリンダ及び前記シリンダの両端を保持しながら前記直管ランプに取付けられる筒状のキャップからなるシリンダセットと、前記シリンダセットの外周面に挿通され、少なくとも前記ソケットとキャップの一部を覆いながら前記ソケット取付具に嵌合される一対の筒状のソケットカバーと、を備えた照明器具において、
前記キャップは、その外周縁部に突出する突起部を有し、
前記ソケットカバーは、その長手方向内側に内径側へ張り出し、前記突起部が当接可能な張出部を有し、
前記ソケットカバーを前記ソケット取付具に嵌合させるとき、該カバーを長手方向外側にそれぞれ移動させることで、前記張出部が前記突起部に当接して、前記シリンダセットが長手方向中心に寄せられることを特徴とする照明器具。
【請求項２】
前記ソケットカバーは、その張出部が、前記シリンダセットの長手方向両外側から内側に前記キャップの突起部を乗り越えて該シリンダセットの外周面に挿通可能とされていることを特徴とする請求項１に記載の照明器具。
【請求項３】
前記ソケットカバーの張出部は、該ソケットカバーの長手方向内側の開口部に設けられ、
前記ソケットカバーを前記ソケット取付具に嵌合させたとき、前記キャップの突起部が前記張出部に当接することで前記シリンダセットのガタツキが防止されることを特徴とする請求項１叉は請求項２に記載の照明器具。
【請求項４】
前記キャップは、紫外線を透過する透明シリコン材で形成され、
前記シリンダと前記ソケットカバーは、紫外線吸収剤入りの材料で形成されていることを特徴とする請求項１乃至請求項３のいずれかに記載の照明器具。
【発明の詳細な説明】
【技術分野】
【０００１】
本発明は、直管ランプを透光性シリンダで覆い、端部にソケットカバーを備えた照明器具に関する。
【背景技術】
【０００２】
従来から、ランプの保護、演色、防虫等のために、直管ランプを透光性シリンダにて覆い、ランプ端部にソケットカバーを取付けてなる照明器具が知られている（例えば、特許文献１参照）。
【０００３】
この種の照明器具について、図７乃至図１４を参照して以下に説明する。この照明器具は、図７に示されるように、器具本体１から延出された左右一対のアーム２（図７では片方のみを示す）と、このアーム２に直管ランプ５（以下、ランプという）を取付けるためのソケット３を保持するソケット取付具４とを備える。ランプ５は、筒状の透光性シリンダ６により覆われ、このシリンダ６の両端は筒状のキャップ７により保持される。シリンダ６とキャップ７を組み合わせた部品をシリンダセット８と呼ぶ。ソケット取付具４には、シリンダセット８の外周面に挿通され、かつ、ソケット３とキャップ７の一部を覆う筒状のソケットカバー９が嵌合される。シリンダセット８は、シリンダ６とキャップ７が固定された状態のまま、ランプ５の長手方向（軸方向）に可動する構造である。なお、ソケットカバー９は、長手方向両端が開口した形状であり、ソケット取付具４に嵌合させるために移動させたときにアーム２を通すための切り欠き９ａが周面外側に形成されている。
【０００４】
この種、従来の照明器具の施工は、図８乃至図１２に示す手順で行う。すなわち、
１．シリンダセット８をランプ５に嵌める（図８）。
２．ソケットカバー９をシリンダセット８の両端から挿通して長手方向中心に寄せておく（図９）。
３．シリンダセット８とランプ５を同時にソケット３に嵌める（図１０）。
４．ソケットカバー９をソケット取付具４に嵌める（図１１）。
５．シリンダセット８を長手方向中心にセンター合わせをする（図１２）。なお、図示では構成を概念的に示している。
【０００５】
しかしながら、このような手順では、次のような問題がある。
１．図１２の状態において、シリンダセット８を長手方向中心にセンター合わせをしないと、図１３に示すように、左右のソケットカバー９から、はみ出ているキャップ７の長さｄ１，ｄ２が左右で異なり、意匠性が悪くなる。
２．図１４に示すように、シリンダセット８を長手方向中心にセンター合わせをしないと、片寄せ状態となったとき、ソケットカバー９とシリンダセット８のキャップ７との間にクリアランスが生じるため、シリンダセット８が保持されずにガタツキを生じる。
３．ソケットカバー９をソケット取付具４に嵌める作業とは別に、シリンダセット８のセンター合わせの作業を行う必要があり、作業性・施工性が悪い。
【特許文献１】特開２００５−２６０２５号公報
【発明の開示】
【発明が解決しようとする課題】
【０００６】
本発明は、上記問題を解消するものであり、ソケットカバーをソケット取付具に嵌めると同時に、シリンダセットを長手方向中心にセンター合わせできるようにして、施工性と意匠性の向上が図れ、シリンダセットにガタツキを生じるようなことのない照明器具を提供することを目的とする。
【課題を解決するための手段】
【０００７】
上記課題を解決するために、本発明は、直管ランプを取付ける一対のソケットと、前記ソケットを保持するソケット取付具と、前記直管ランプを覆う筒状の透光性シリンダ及び前記シリンダの両端を保持しながら前記直管ランプに取付けられる筒状のキャップからなるシリンダセットと、前記シリンダセットの外周面に挿通され、少なくとも前記ソケットとキャップの一部を覆いながら前記ソケット取付具に嵌合される一対の筒状のソケットカバーと、を備えた照明器具において、前記キャップは、その外周縁部に突出する突起部を有し、前記ソケットカバーは、その長手方向内側に内径側へ張り出し、前記突起部が当接可能な張出部を有し、前記ソケットカバーを前記ソケット取付具に嵌合させるとき、該カバーを長手方向外側にそれぞれ移動させることで、前記張出部が前記突起部に当接して、前記シリンダセットが長手方向中心に寄せられるものである。
【０００８】
また、前記ソケットカバーは、その張出部が、前記シリンダセットの長手方向両外側から内側に前記キャップの突起部を乗り越えて該シリンダセットの外周面に挿通可能とされているものとすればよい。
【０００９】
また、前記ソケットカバーの張出部は、該ソケットカバーの長手方向内側の開口部に設けられ、前記ソケットカバーを前記ソケット取付具に嵌合させたとき、前記キャップの突起部が前記張出部に当接することで前記シリンダセットのガタツキが防止されるものとすればよい。
【００１０】
また、前記キャップは、紫外線を透過する透明シリコン材で形成され、前記シリンダと前記ソケットカバーは、紫外線吸収剤入りの材料で形成されているものとすればよい。
【発明の効果】
【００１１】
本発明によれば、ソケットカバーをソケット取付具に嵌める作業を行うと、それに伴い自動的に、シリンダセットを長手方向（軸方向）中心にセンター合わせできる。このため、施工性が良くなり、また、意匠性が良くなる。シリンダセットが長手方向外側に移動（片寄せ）されることで、ガタツキが生じることがなくなる。
【００１２】
また、ソケットカバーがランプから出る紫外線を遮断するものとし、キャップを透明材質とすることで、低誘虫性を確保しながら、ソケットカバーからはみ出している部分を目立ち難くさせ、意匠性を向上することができる。
【発明を実施するための最良の形態】
【００１３】
以下、本発明の一実施形態に係る照明器具について図面を参照して説明する。図１は本実施形態による照明器具の全体構成を、図２は同照明器具の一端側の部分破断構成を示す。照明器具は、器具本体１と、その左右両端部に延出して設けられた一対のアーム２と、このアーム２の先端部に設けられたソケット取付具４と、このソケット取付具４に保持され、直管ランプ５（以下、ランプという）を取付けるための一対のソケット３とを備える。
【００１４】
ランプ５は、筒状の透光性シリンダ６により覆われ、シリンダ６は、ランプの保護、演色、防虫等の用途に応じて適宜に選択された材質で成り、その両端が筒状のキャップ７により保持され、このキャップ７を介在してランプ５に取付けられる。シリンダ６とキャップ７は、シリンダセット８として一体に組み合わされる。シリンダセット８の外周面には一対の筒状のソケットカバー９が挿通され、各々のソケットカバー９は、ソケット３とキャップ７の一部を覆いながらソケット取付具４の外周に嵌合される。
【００１５】
本実施形態の照明装置は、ソケットカバー９をソケット取付具４に嵌めると同時に、シリンダセット８を長手方向中心に寄せること（センター合わせ）ができる構成としている。そのための構成として、キャップ７の外周縁部には、複数の突起部７ａが突出形成され、また、ソケットカバー９の長手方向内側端の開口部には、内径側へ張り出し、突起部７ａが当接可能な張出部９ｂが形成されている。ここに、キャップ７の突起部７ａの外寸（Ａ）
とソケットカバー９の張出部９ｂの開口径（Ｂ）とは、図２及び後述の図４に示したように、Ａ＞Ｂとされている。そして、ソケットカバー９をシリンダセット８の外周面にその長手方向両外側から内側に挿通させて組み付けることができるように、キャップ７はシリコンゴム等の弾性材質で成り、組み付け時に、ソケットカバー９の張出部９ｂが、シリンダセット８のキャップ７の突起部７ａを乗り越えることができるような寸法関係に構成されている。
【００１６】
図３はキャップ７の構成を示し、図４はランプ５に嵌め込んだシリンダセット８にソケットカバー９を挿通させようとする状態を示す。キャップ７には、突起部７ａの他に、内周面にリング状の突出縁７ｂ，７ｃが一体に設けられている。突出縁７ｂはシリンダ６の外側端に当接してその位置決めをし、突出縁７ｃはランプ５の外周面に接してシリンダセット８をランプ５に保持する。キャップ７の突起部７ａには、ソケットカバー９を挿通させ易いように傾斜面が設けられている。このため、ソケットカバー９の張出部９ｂは、キャップ７を弾性変形させながら突起部７ａを乗り越え、ソケットカバー９を容易に嵌めることができる。
【００１７】
シリンダセット８をランプ５に嵌め込む要領は、前述の図８に示した通りである。また、ソケットカバー９を嵌め込んだシリンダセット８（ランプ５を含む）をソケット３に取付ける要領、及びソケットカバー９をソケット取付具４に嵌合させる要領は、前述の図１０、及び図１１と同様である。また、ソケットカバー９の周面外側に、これをソケット取付具４に嵌合させるために移動させたときにアーム２を通すための切り欠きが形成されている点も、前述と同等である。
【００１８】
図５（ａ）（ｂ）は、ソケットカバー９をソケット取付具４に嵌合させる動作の前後状態を示す。ソケットカバー９をソケット取付具４に嵌合させるとき、左右一対のソケットカバー９を軸方向外側（矢印方向）にそれぞれ移動させることで、ソケットカバー９の張出部９ｂがキャップ７の突起部７ａに当接して、シリンダセット８が、寸法Ｄだけ移動され、これにより、長手方向中心に寄せられ、シリンダセット８のセンター合わせが成される。つまり、このセンター合わせは、ソケットカバー９をソケット取付具４に嵌合させる動作に連動して自動的に成されるので、施工性が良いものとなる。また、左右のソケットカバー９の内側に、はみ出ているキャップ７の長さ寸法が、センター合わせにより左右で等しくなり、意匠性が向上し、しかも、キャップ７が透明シリコン材で形成されていることで、意匠性は一層良くなる。
【００１９】
また、ソケットカバー９の張出部９ｂは、その長手方向内側の開口部に設けられているので、ソケットカバー９をソケット取付具４に嵌合させたとき、キャップ７の突起部７ａが張出部９ｂに当接することで、シリンダセット８のガタツキが防止される。
【００２０】
図６は、本実施形態の照明器具において低誘虫性を確保することを示す。シリンダ６とソケットカバー９は、紫外線吸収剤入りの樹脂材料（例えば、ポリカーボネート、ポリプロピレン等）で形成し、キャップ７は、紫外線を透過する透明シリコン材で形成する。ランプ５からは紫外線が出ており、虫は紫外線が出ているところに集まる習性を持つが、ランプ５からの紫外線をシリンダ６にて遮断し、ランプ端部から出る紫外線をソケットカバー９にて遮断する。これにより、低誘虫性を確保している。なお、図６において、Ｅはランプ発光領域、Ｆはシリンダ６により紫外線をカットする領域、Ｇはソケットカバー９により紫外線をカットする領域を示している。
【００２１】
本発明は、上記実施形態の構成に限られることなく、発明の趣旨を変更しない範囲で種々の変形が可能であり、例えば、ソケットカバー９をソケット取付具４に嵌める動作に連動してシリンダセット８のセンター合わせが行えるものであれば、任意の構成を採用することができる。
【図面の簡単な説明】
【００２２】
【図１】本発明の一実施形態に係る照明器具の全体側面図。
【図２】同照明器具の一端側の部分破断側面図。
【図３】（ａ）（ｂ）は同照明器具に用いられるキャップの側断面図及び正面図。
【図４】同照明器具のランプに嵌め込んだシリンダセットにソケットカバーを挿通させようとする状態を示す図。
【図５】（ａ）（ｂ）はソケットカバーをソケット取付具に嵌合させる動作の前後状態を示す概略側面図。
【図６】本実施形態の照明器具において低誘虫性を確保していることを説明する図。
【図７】従来の照明器具の部分破断側面図。
【図８】従来の照明器具の施工手順を示す斜視図。
【図９】同じく施工手順を示す斜視図。
【図１０】同じく施工手順を示す概略側面図。
【図１１】同じく施工手順を示す概略側面図。
【図１２】同じく施工手順を示す概略側面図。
【図１３】従来の照明器具の側面図。
【図１４】従来の照明器具の部分破断側面図。
【符号の説明】
【００２３】
１  器具本体
３  ソケット
４  ソケット取付具
５  直管ランプ（ランプ）
６  シリンダ
７  キャップ
７ａ  キャップの突起部
８  シリンダセット
９  ソケットカバー
９ｂ  ソケットカバーの張出部
【図１】
2006331792.tif 000003
【図２】
2006331792.tif 000004
【図３】
2006331792.tif 000005
【図４】
2006331792.tif 000006
【図５】
2006331792.tif 000007
【図６】
2006331792.tif 000008
【図７】
2006331792.tif 000009
【図８】
2006331792.tif 000010
【図９】
2006331792.tif 000011
【図１０】
2006331792.tif 000012
【図１１】
2006331792.tif 000013
【図１２】
2006331792.tif 000014
【図１３】
2006331792.tif 000015
【図１４】
2006331792.tif 000016